(57)【特許請求の範囲】
【請求項１】
照明負荷と、机上面照度を検出する照度センサと、前記照度センサの検出値及び前記照度センサが有するスレッショルド値の比較出力に応じて前記照明負荷の光出力のフィードバック制御を行う制御部とを備える照明装置において、
前記照明負荷の光出力が一定値に達すると、前記スレッショルド値を低下することを特徴とする照明装置。
【請求項２】
外因による前記照明負荷の光束減衰に応じた補正データにより前記スレッショルド値を補正することを特徴とする請求項１記載の照明装置。
【請求項３】
前記外因は、照明負荷の劣化、照明器具の汚れ、照明負荷の汚れ、前記照度センサの汚れのうちの少なくともいずれかを含むものとすることを特徴とする請求項２記載の照明装置。
【請求項４】
前記照明負荷の劣化度合を検知するランプ劣化度合検知センサを設けたことを特徴とする請求項１乃至３のいずれかに記載の照明装置。
【請求項５】
前記照明負荷の劣化度合と汚れ度合とを検知するランプ劣化・汚れ検知センサを設けたことを特徴とする請求項１乃至４のいずれかに記載の照明装置。
【請求項６】
前記照明器具の反射光を検知する器具反射光検知センサを設けたことを特徴とする請求項１乃至５のいずれかに記載の照明装置。
【請求項７】
外因による前記照明負荷の光束減衰に応じた補正データに基づいて前記照明負荷の光出力の上限値を設定し、一定時間は前記上限値を維持することを特徴とする請求項１乃至請求項６のいずれかに記載の照明装置。
【発明の詳細な説明】
【０００１】
【発明の属する利用分野】
本発明は照明装置に関するものであり、更に詳しくは、設定照度を維持するように照明負荷の光出力をフィードバック制御することで、昼光連動および初期照度補正を行う照明装置に関する。
【０００２】
【従来の技術】
本発明に係る第１従来例として、特開昭６４−８９２８７号公報に示したものがある。本従来例は、経年変化による光束低下特性や照明器具の汚れによる特性を予め照明器具別に記憶させ、この特性に応じた照度補正値に基づいて適切な照度を確保するものである。
【０００３】
本発明に係る第２従来例として、特開平１−１４３１８９号公報に示したものがある。本従来例は、照明負荷の経時的光束減退の検知値と、予め記憶された照明器具の経時的汚れ補正値とを演算することにより、所定の光出力を得られる様にしたものである。
【０００４】
本発明に係る第３従来例のブロック構成図を図１に示す。
本構成は、照明負荷（以下、ランプと呼ぶ。）１と、机上面の反射光を検知し反射光量に比例した電圧を出力する（つまり机上面照度を検出する）照度センサ２と、照度センサ２の検出値に応じて調光信号を変化させる制御部３と、制御部３からの調光信号を受けてランプ１の光出力を制御する調光安定器４とから構成される。そして、照度センサ３の検出出力が設定されたスレッショルド値になるように、ランプ５の光出力をフィードバックする制御を行うことで机上面照度を略一定にすることができる。
【０００５】
なお、照度センサ２へ入射される机上面からの反射光量と机上面照度とは略比例関係にあるとする。また、図１２に、ランプ劣化、ランプ汚れ、照明器具汚れ、照度センサ汚れなどの外因によって経時的に生じる光束劣化特性を示す。図１２（ａ）はランプ劣化の場合、図１２（ｂ）はランプ汚れの場合、図１２（ｃ）は照明器具汚れの場合、図１２（ｄ）は照度センサ汚れの場合を示している。更に、ここでは、光束劣化が初期値から約３０％減になる時点をランプ寿命（ここでは約１２０００時間経過時点）としている。
【０００６】
【発明が解決しようとする課題】
しかし、上記第１、第２従来例では、経年変化と共に消費電力が増加してしまう、という第１の問題点が生じてしまう。
【０００７】
また、上記第３従来例では以下に示す様な第２の問題点が生じてしまう。
上記第３従来例では、ランプ劣化、ランプ汚れ、照明器具汚れ、照度センサ汚れなどの外因によって経時的に生じる光束劣化を補償するために、光束劣化とともにランプの光出力を上昇させる。しかし、上記外因による光束劣化が大きすぎると、ランプの光出力を大きく上昇させる必要があり、その場合、図１３（ａ）の実線に示す様に、ランプが寿命に達する前に光出力が１００％に達してしまい、以降、光出力が１００％で制御されることになって消費電力が大きくなってしまう。また、光出力が１００％に達した以降は光出力を上昇させることができないので、上記外因による光束劣化によって、図１３（ｂ）の破線に示す様に机上面照度が低下してしまう。
【０００８】
本発明は、上記全ての問題点に鑑みてなされたものであり、その目的とするところは、消費電力を低減し、且つ、十分な照度補正が可能な照明装置を提供することである。
【０００９】
【課題を解決するための手段】
上記問題点を解決するために、請求項１記載の発明によれば、照明負荷と、机上面照度を検出する照度センサと、照度センサの検出値及び照度センサが有するスレッショルド値の比較出力に応じて照明負荷の光出力のフィードバック制御を行う制御部とを備え、照明負荷の光出力が一定値に達すると、スレッショルド値を低下することを特徴とする。
【００１０】
請求項２記載の発明によれば、外因による照明負荷の光束減衰に応じた補正データによりスレッショルド値を補正することを特徴とする。
【００１１】
請求項３記載の発明によれば、外因は、照明負荷の劣化、照明器具の汚れ、照明負荷の汚れ、照度センサの汚れのうちの少なくともいずれかを含むものとすることを特徴とする。
【００１２】
請求項４記載の発明によれば、照明負荷の劣化度合を検知するランプ劣化度合検知センサを設けたことを特徴とする。
【００１３】
請求項５記載の発明によれば、照明負荷の劣化度合と汚れ度合とを検知するランプ劣化・汚れ検知センサを設けたことを特徴とする。
【００１４】
請求項６記載の発明によれば、照明器具の反射光を検知する器具反射光検知センサを設けたことを特徴とする。
【００１５】
請求項７記載の発明によれば、外因による前記照明負荷の光束減衰に応じた補正デ−タに基づいて照明負荷の光出力の上限値を設定し、一定時間は上限値を維持することを特徴とする。
【００１６】
【実施の形態】
（実施の形態１）
本発明に係る第１の実施の形態のブロック構成図は、図１に示した第３従来例と同様であり、上記第３従来例とは動作が異なるだけであるので、同一構成には同一符号を付すことにより説明を省略する。
【００１７】
本実施の形態では、図２（ａ）の実線に示す様に、光出力が１００％に達するごとに、定められた一定の幅で、図２（ｂ）の破線に示す様に、照度センサ２のスレシュレベルの値を下げる。このスレシュレベルの値を基にフィードバック制御を行う。このことを繰り返すことで、図２（ｃ）の斜線で示す部分が省エネ分になる。
【００１８】
この様に構成することで、照明器具の設置場所によらずに、確実に消費電力を低減することができ、机上面照度を維持することができる。なお、ここでは光出力が１００％に達するごとに照度センサ２のスレシュレベルの値を下げるようにしたが、１００％に限らず任意の値で構わない。
【００１９】
（実施の形態２）
本発明に係る第２の実施の形態のブロック構成図を図３に示す。
【００２０】
図１に示した第３従来例と異なる点は、ランプの劣化、ランプの汚れ、照明器具の汚れ、照度センサ３の汚れなどの外因による光束減衰に応じた補正データを記憶する記憶部５と、タイマ６とを設けたことであり、その他の第３従来例と同一構成には同一符号を付すことにより説明を省略する。
【００２１】
本実施の形態では、図４（ｂ）の破線に示す様に、所定時刻に達する毎に補正データを基に照度センサ２のスレシュレベル値を演算し、その演算結果を基にフィードバック制御を行う。このことを繰り返すことで、図４（ａ）の実線に示す様な光出力を得ることができ、図４（ｃ）の斜線で示す部分が省エネ分になる。
【００２２】
この様に構成することで、光束減衰に応じた補正データを基に、照明器具の設置場所によらずに確実に消費電力を低減することができ、机上面照度を維持することができる。なお、照度センサ２のスレシュレベル値の演算の方法は以下の通りである。
Ｘ（ｔｎ）＝Ａ×αｎ×βｎ×γｎ×εｎ
但し、
Ｘ（ｔｎ）：時刻ｔｎでの照度センサ２のスレシュレベル値
Ａ  ：光出力１００％時のセンサ出力
αｎ：時刻ｔｎでのランプ劣化の割合の補正デ−タ
βｎ：時刻ｔｎでのランプ汚れの割合の補正デ−タ
γｎ：時刻ｔｎでの器具汚れの割合の補正デ−タ
εｎ：時刻ｔｎでのセンサ汚れの割合の補正デ−タ
ｎ＝１、２、３・・・（正の整数）
（実施の形態３）
本発明に係る第３の実施の形態のブロック構成図を図５に示す。
【００２３】
図３に示した第２の実施の形態と異なる点は、ランプ１の劣化度合を検知するランプ劣化度合検知センサ７を設けたことであり、その他の第２の実施の形態と同一構成には同一符号を付すことにより説明を省略する。ここでランプ劣化度合検知センサ７は、ランプ光のみを検出できる位置に設置するのが望ましく、例えば、図６の要部断面図に示す様に、照明器具８の内側上面に近いランプ１の表面に設置してもよい。
【００２４】
この様に構成することで、ランプ１の劣化度合の検知値をも基に、照明器具の設置場所によらずに確実に消費電力を低減することができ、机上面照度を維持することができる。
【００２５】
（実施の形態４）
本発明に係る第４の実施の形態のブロック構成図を図７に示す。
【００２６】
図５に示した第３の実施の形態と異なる点は、ランプ１の劣化度合や汚れ度合を検知するランプ劣化・汚れ検知センサ９を設けたことであり、その他の第３の実施の形態と同一構成には同一符号を付すことにより説明を省略する。ここでランプ劣化・汚れ検知センサ９は、ランプ１の劣化と汚れとの双方を十分に検出できる位置に設置するのが望ましく、例えば、図８の要部断面図に示す様に、照明器具８の内側側面に設置してもよい。
【００２７】
この様に構成することで、ランプ１の劣化度合や汚れ度合の検知値をも基に、照明器具の設置場所によらずに確実に消費電力を低減することができ、机上面照度を維持することができる。
【００２８】
（実施の形態５）
本発明に係る第５の実施の形態のブロック構成図を図９に示す。
【００２９】
図７に示した第４の実施の形態と異なる点は、照明器具８での反射光を検知する器具反射光検知センサ１０を設けたことであり、その他の第４の実施の形態と同一構成には同一符号を付すことにより説明を省略する。ここで器具反射光検知センサ１０は、照明器具８での反射光を十分に検出できる位置に設置するのが望ましく、例えば、図１０の要部断面図に示す様に、照明器具８の内側上面且つ２つのランプ１の間に設置してもよい。また、器具反射光検知センサ１０は、照明器具８での反射光を検知し、且つ、ランプ１の劣化度合や汚れ度合、照明器具８の汚れ度合を検知するものでもよい。
【００３０】
この様に構成することで、照明器具８での反射光の検知値をも基に、照明器具の設置場所によらずに確実に消費電力を低減することができ、机上面照度を維持することができる。
【００３１】
（実施の形態６）
本発明に係る第６の実施の形態の特性図を図１１に示す。
【００３２】
本実施の形態は、上記第１乃至第５の実施の形態において、補正デ−タαｎ、βｎ、γｎ、εｎ（ｎは正の整数）に基づいて光出力の上限値を設定し、一定時間は前記上限値を維持する様に構成したものである。
【００３３】
この様に構成することで、照明器具の設置場所によらずに、図１１（ｃ）の斜線部に示す様に確実に消費電力を低減することができ、図１１（ｂ）の実線に示す様に机上面照度を維持することができる。
【００３４】
【発明の効果】
請求項１記載の発明によれば、照明器具の設置場所によらずに確実に消費電力を低減することができ、机上面照度を維持することができる。
【００３５】
請求項２、請求項３に記載の発明によれば、外因による照明負荷の光束減衰に応じた補正データを基に、照明器具の設置場所によらずに確実に消費電力を低減することができ、机上面照度を維持することができる。
【００３６】
請求項４記載の発明によれば、請求項１乃至３に記載の発明の効果に加えて、照明負荷の劣化度合の検出値をも基に、照明器具の設置場所によらずに確実に消費電力を低減することができ、机上面照度を維持することができる。
【００３７】
請求項５記載の発明によれば、請求項１乃至４に記載の発明の効果に加えて、照明負荷の劣化度合と汚れ度合との検出値をも基に、照明器具の設置場所によらずに確実に消費電力を低減することができ、机上面照度を維持することができる。
【００３８】
請求項６、請求項７に記載の発明によれば、請求項１乃至５に記載の発明の効果に加えて、照明器具の反射光との検出値をも基に、照明器具の設置場所によらずに確実に消費電力を低減することができ、机上面照度を維持することができる。
【図面の簡単な説明】
【図１】本発明に係る第１の実施の形態及び第３従来例のブロック構成図を示す。
【図２】上記実施の形態に係る光出力及び照度センサのスレッショルドレベルの特性図を示す。
【図３】本発明に係る第２の実施の形態のブロック構成図を示す。
【図４】上記実施の形態に係る光出力及び照度センサのスレッショルドレベルの特性図を示す。
【図５】本発明に係る第３の実施の形態のブロック構成図を示す。
【図６】上記実施の形態に係る要部断面図を示す。
【図７】本発明に係る第４の実施の形態のブロック構成図を示す。
【図８】上記実施の形態に係る要部断面図を示す。
【図９】本発明に係る第５の実施の形態のブロック構成図を示す。
【図１０】上記実施の形態に係る要部断面図を示す。
【図１１】本発明に係る第６の実施の形態の光出力及び机上面照度の特性図を示す。
【図１２】外因による光束減衰特性図を示す。
【図１３】上記第３従来例に係る光出力及び机上面照度の特性図を示す。
【符号の説明】
１    照明負荷
２    照度センサ
３    制御部
７    ランプ劣化度合検知センサ
９    ランプ劣化・汚れ検知センサ
８    照明器具
１０  器具反射光検知センサ
【図１】
0003858402.tif 000002
【図２】
0003858402.tif 000003
【図３】
0003858402.tif 000004
【図４】
0003858402.tif 000005
【図５】
0003858402.tif 000006
【図６】
0003858402.tif 000007
【図７】
0003858402.tif 000008
【図８】
0003858402.tif 000009
【図９】
0003858402.tif 000010
【図１０】
0003858402.tif 000011
【図１１】
0003858402.tif 000012
【図１２】
0003858402.tif 000013
【図１３】
0003858402.tif 000014